(57)【特許請求の範囲】
【請求項１】
筐体を備え、
上記筐体には、光ディスクを回転操作するディスク回転駆動手段と、少なくとも光ディスクに光ビームを照射する光源を有し、該光ディスクの半径方向へ移動可能に支持された光ピックアップとが設けられ、
上記光ピックアップは、上記光ディスクの回転面と略平行に相対向して所定間隔離間されて配置されることにより、上記光ディスクの回転により発生する空気流が流入される空気流通路を形成する少なくとも一対の空気流通路形成板を有し、
上記一対の空気流通路形成板は、上記光ピックアップの移動方向の上記光ディスクの外周側の一側面に、上記光ディスクの回転により発生する空気流を流入する第１の開口部が設けられるとともに、該第１の開口部と対向する上記光ピックアップの移動方向の他側面に、該第１の開口部から流入した空気流を排出する第２の開口部が設けられ、上記一対の空気流通路形成板の少なくとも一方は、両面を放熱面とした放熱板であり、
上記光源は、上記一対の空気流通路形成板の上記第１の開口部が設けられた側であって、上記光ディスクの回転により発生して上記第１の開口部に流入する上記空気流の流れに対して上記第１の開口部より上流側に配置される光ディスク装置。
【請求項２】
上記一対の空気流通路形成板の他方は、電子回路形成基板である請求項１記載の光ディスク装置。
【請求項３】
上記一対の空気流通路形成板のいずれか一方と、相対向して所定間隔離間して配置されるさらなる電子回路形成基板を備え、
上記さらなる電子回路形成基板は、対向する一方の空気流通路形成板とともに、上記光ディスクの回転により発生する空気流が流入される第２の空気流通路を形成する請求項１記載の光ディスク装置。
【請求項４】
上記一対の空気流通路形成板には、さらに、放熱性に優れた金属材料で形成され、凹凸形状を有し、上記光源で発生した熱を放熱するヒートシンクが設けられている請求項１記載の光ディスク装置。
【請求項５】
上記一対の空気流通路形成板には、さらに、上記光源の近傍に位置し、放熱性に優れた金属材料で形成され、凹凸形状を有し、上記光源で発生した熱を放熱するヒートシンクが設けられている請求項１記載の光ディスク装置。
【請求項６】
筐体内に光ディスクを回転操作するディスク回転駆動手段を有する光ディスク装置の該筐体内に、該光ディスクの半径方向へ移動可能に支持されて収容され、該光ディスクに対して記録及び／又は再生を行う光ピックアップにおいて、
少なくとも上記光ディスクに光ビームを照射する光源と、
上記光ディスクの回転面と略平行に相対向して所定間隔離間されて配置されることにより、上記光ディスクの回転により発生する空気流が流入される空気流通路を形成する少なくとも一対の空気流通路形成板とを有し、
上記一対の空気流通路形成板は、当該光ピックアップの移動方向の上記光ディスクの外周側の一側面に、上記光ディスクの回転により発生する空気流を流入する第１の開口部が設けられるとともに、該第１の開口部と対向する上記光ピックアップの移動方向の他側面に、該第１の開口部から流入した空気流を排出する第２の開口部が設けられ、上記一対の空気流通路形成板の少なくとも一方は、両面を放熱面とした放熱板であり、
上記光源は、上記一対の空気流通路形成板の上記第１の開口部が設けられた側であって、上記光ディスクの回転により発生して上記第１の開口部に流入する上記空気流の流れに対して上記第１の開口部より上流側に配置される光ピックアップ。
【発明の詳細な説明】
【技術分野】
【０００１】
本発明は、光ディスク等の情報記録媒体に対して記録及び／又は再生を行う光ディスク装置及び光ピックアップに関する。
【背景技術】
【０００２】
従来から、光ディスク等の情報記録媒体に対して記録及び／又は再生を行う光ディスク装置において、光源から発生する熱を放熱する光ディスク装置が知られている。
【０００３】
かかる光ディスク装置は、光ディスクに対して照射する光ビームを出射する光源と、この光源が設けられるベースと、光源から発生する熱を放熱する放熱手段とを備える。
【０００４】
この放熱手段として、例えば、ベースを伝熱性の高い金属材料で形成された光ディスク装置が知られている。このように、ベースを金属材料で形成した光ディスク装置は、光源で生じた熱が、ベースに伝熱され、ベース表面から外気に向かって放熱されることで、光源で発生する熱による光源の特性劣化や寿命が短くなることを防止できる。
【０００５】
しかし、この光ディスク装置では、ベースを金属材料に形成することから、コストが増大するという問題があった。
【０００６】
また、他の放熱手段として、光源に近接して伝熱性の高い放熱板が設けられた光ディスク装置が知られている。この放熱板の一面はベース表面に密着される。かかる構成とされた光ディスク装置は、光源で生じた熱が、放熱板に伝熱されるとともに、放熱板の表面から外気に向かって放熱される。
【０００７】
しかし、これらの光ディスク装置では、光源の発熱量が増大された場合に、熱を十分に放熱させることができないという問題があった。
【０００８】
【特許文献１】特開２００４−１３３９６２号公報
【特許文献２】特開２００４−１５２４０８号公報
【発明の開示】
【発明が解決しようとする課題】
【０００９】
本発明の目的は、放熱効率を高めることができる光ディスク装置及び光ピックアップを提供することにある。
【課題を解決するための手段】
【００１０】
本発明に係る光ディスク装置は、筐体を備え、上記筐体には、光ディスクを回転操作するディスク回転駆動手段と、少なくとも光ディスクに光ビームを照射する光源を有し、該光ディスクの半径方向へ移動可能に支持された光ピックアップとが設けられ、上記光ピックアップは、上記光ディスクの回転面と略平行に相対向して所定間隔離間されて配置されることにより、上記光ディスクの回転により発生する空気流が流入される空気流通路を形成する少なくとも一対の空気流通路形成板を有し、上記一対の空気流通路形成板は、上記光ピックアップの移動方向の上記光ディスクの外周側の一側面に、上記光ディスクの回転により発生する空気流を流入する第１の開口部が設けられるとともに、該第１の開口部と対向する上記光ピックアップの移動方向の他側面に、該第１の開口部から流入した空気流を排出する第２の開口部が設けられ、上記一対の空気流通路形成板の少なくとも一方は、両面を放熱面とした放熱板であり、上記光源は、上記一対の空気流通路形成板の上記第１の開口部が設けられた側であって、上記光ディスクの回転により発生して上記第１の開口部に流入する上記空気流の流れに対して上記第１の開口部より上流側に配置される。
【００１１】
また、本発明に係る光ピックアップは、筐体内に光ディスクを回転操作するディスク回転駆動手段を有する光ディスク装置の該筐体内に、該光ディスクの半径方向へ移動可能に支持されて収容され、該光ディスクに対して記録及び／又は再生を行う光ピックアップにおいて、少なくとも上記光ディスクに光ビームを照射する光源と、上記光ディスクの回転面と略平行に相対向して所定間隔離間されて配置されることにより、上記光ディスクの回転により発生する空気流が流入される空気流通路を形成する少なくとも一対の空気流通路形成板とを有し、上記一対の空気流通路形成板は、当該光ピックアップの移動方向の上記光ディスクの外周側の一側面に、上記光ディスクの回転により発生する空気流を流入する第１の開口部が設けられるとともに、該第１の開口部と対向する上記光ピックアップの移動方向の他側面に、該第１の開口部から流入した空気流を排出する第２の開口部が設けられ、上記一対の空気流通路形成板の少なくとも一方は、両面を放熱面とした放熱板であり、上記光源は、上記一対の空気流通路形成板の上記第１の開口部が設けられた側であって、上記光ディスクの回転により発生して上記第１の開口部に流入する上記空気流の流れに対して上記第１の開口部より上流側に配置される。
【発明の効果】
【００１２】
本発明に係る光ディスク装置は、光ディスクの回転により発生する空気流を取り込む空気流通路を形成する一対の空気流通路形成板の少なくとも一方が両面を放熱面とした放熱板であることにより、放熱効率を増大することができる。
【発明を実施するための最良の形態】
【００１３】
以下、本発明を適用した光ディスク装置及び光ピックアップについて図面を参照して説明する。
【００１４】
本発明を適用した光ディスク装置１は、図１に示すように、光ディスク２に対して情報を記録及び／又は再生するものである。この光ディスク装置１で記録及び／又は再生を行う光ディスク２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１５】
具体的に、光ディスク装置１は、図１に示すように、筐体３を備え、筐体３には、図示しないディスク挿入口と、シャーシと、シャーシに取り付けられ光ディスクを回転操作するディスク回転駆動手段４と、シャーシに取り付けられた平行なガイド軸５により光ディスク２の半径方向へ移動可能に支持された光ピックアップ７とを備える。筐体３の側面下部には、複数の通気口３ａが形成されている。
【００１６】
光ピックアップ７は、図２に示すように、所定の波長の光ビームを出射する光源２０と、光源２０から出射された光ビームを光ディスク２に照射するとともに光ディスク２で反射された戻り光を検出するため光学系を構成する所要の光学部品と、これらの光学部品を配置する移動ベース８と、この移動ベース８上に配置された対物レンズ駆動装置９とを備える。光源２０は、半導体レーザであり、レーザホルダー２０ａに保持されている。対物レンズ駆動装置９には、カバー９ａが設けられている。
【００１７】
移動ベース８は、その両端部に軸受部８ａ、８ｂを有し、この軸受部８ａ、８ｂがそれぞれガイド軸５に摺動自在に支持されている。移動ベース８に設けられた図示しないラック部材がリードスクリューに螺合され、送りモータによってリードスクリューが回転されると、ラック部材がリードスクリューの回転方向へ応じた方向へ送られ、光ピックアップ７が光ディスク２の半径方向へ移動される。
【００１８】
対物レンズ駆動装置９は、対物レンズ１４を保持する可動部１２と、可動部１２を少なくとも対物レンズ１４のフォーカシング方向及びトラッキング方向に傾斜可能に支持する複数の弾性支持部材１６と、弾性支持部材１６の基端部を固定する固定部１１とを備える。
【００１９】
この対物レンズ駆動装置９は、図示しないトラッキングコイル及びフォーカシングコイルの駆動電流が供給されると、これらの駆動電流の向きと、図示しないマグネット及びヨークにより発生する磁束との関係によって、可動部１２がフォーカシング方向、トラッキング方向に移動される。
【００２０】
光学部品は、光源２０から出射された光ビームの光路を光ディスク２に略垂直な方向に反射させる立ち上げミラー１９と、立ち上げミラー１９により反射された光ビームを光ディスク２に集光する対物レンズ１４と、光ディスク２で反射された復路の光ビームを受光して各種信号を検出する光検出器とからなる。対物レンズ１４は、対物レンズ駆動装置９によって駆動制御されるように構成され、トラッキング方向及びフォーカシング方向の位置が調整される。
【００２１】
また、光ピックアップ７は、図２乃至図４に示すように、光ディスク２の回転面２ａと略平行に相対向して所定間隔離間されて配置されることにより、光ディスク２の回転により発生する空気流が流入される第１の空気流通路２１を形成する一対の空気流通路形成板２２，２３と、この一対の空気流通路形成板２２，２３の一方の空気流通路形成板２３と、相対向して所定間隔ｃ離間して配置される電子回路形成基板２４とを備える。
【００２２】
電子回路形成基板２４は、対向して配置された一方の空気流通路形成板２３とともに、光ディスク２の回転により発生する空気流が流入される第２の空気流通路２５を形成する。
【００２３】
一対の空気流通路形成板２２，２３は、両面を放熱面とした放熱板である。すなわち、一対の空気流通路形成板２２，２３は、放熱性に優れた鉄、ステンレス、アルミニウム、銅又はその他の金属材料で形成され、その両面が放熱面として機能するように、ベースや他の部品等が大きな面積で面接触することなく、良好に放熱できるように構成されている。
【００２４】
尚、ここでは、一対の空気流通路形成板２２，２３の両方を放熱板として構成したが、これに限られるものではなく、一対の空気流通路形成板２２，２３の少なくとも一方が両面を放熱面とした放熱板であればよい。また、例えば、一対の空気流通路形成板２２，２３の他方が電子回路形成基板であってもよい。
【００２５】
また、ここでは、一方の空気流通路形成板２３と対向して電子回路形成基板２４を設けることにより第２の空気流通路２５を形成するように構成したが、これに限られるものではなく、例えば、筐体３側に、他方の空気流通路形成板２２と対向する位置に、電子回路形成基板等を設けるように構成しても良い。
【００２６】
一対の空気流通路形成板２２，２３の光ピックアップ７の移動方向の側面には、筐体３側に、光ディスク２の回転により発生する空気流が第１の空気流通路２１内に流入するため、すなわちこの空気流を取り込むための導風路として第１の開口部２８と、ディスク回転駆動手段４側に、空気流が第１の空気流通路２１から流出するための排出路として第２の開口部２９とが設けられている。
【００２７】
第１の開口部２８は、空気流の流れが多い箇所に設けられており、第１の空気流通路２１に流入する空気流入量を増大させることができ、放熱効果を高めることを可能とする。
【００２８】
第２の開口部２９は、第１の開口部２８の対向する位置に設けられており、第１の開口部２８を介して流入した空気流が流出しやすくすることで、さらに、第１の開口部２８に流入する空気流入量を増大させることができ、放熱効果を高めることを可能とする。
【００２９】
ところで、上述した光源２０は、図２に示すように、一対の空気流通路形成板２２，２３の一端側に配置されており、且つ、一対の空気流通路形成板２２，２３により構成される第１の空気流通路２１に流入される空気流の上流側、すなわち、第１の開口部２８に流入する空気流の上流側に配置されている。
【００３０】
以上のように構成された光ディスク装置１において、光ディスク２が装着されたとき、ディスク回転駆動手段４が光ディスク２を回転操作し、光ピックアップ７を光ディスク２の半径方向へ所望の記録トラックに対応する位置に移動されて光ディスク２に対する記録動作又は再生動作が行われる。
【００３１】
ここで、ディスク回転駆動手段４により回転される光ディスク２の回転により発生する空気流について、図５及び図６を用いて説明する。尚、図５及び図６は、第１の空気流通路２１が形成された位置の断面での空気流を示すものである。
【００３２】
図５及び図６に示すように、光ディスク２の回転によりＡ１１〜Ａ１６の空気流が発生する。空気流Ａ１１は、光ディスク２の回転面２ａから光ディスク２の回転方向Ｒと同じ方向に発生する空気流である。また、空気流Ａ１２は、空気流Ａ１１がその遠心力により光ディスク２の半径方向外側に向かうとともに、空気流Ａ１１と同じ方向に向かうことで発生する空気流である。空気流Ａ１３は、筐体３に囲まれている構成から空気流Ａ１２が筐体３で反射して光源２０付近に集中する空気流である。空気流Ａ１４は、筐体３に囲まれている構成から空気流Ａ１２がさらに外側を回る空気流である。空気流Ａ１５は、空気流Ａ１４が筐体３で反射して一対の空気流通路形成板２２，２３の第１の開口部２８から第１の空気流通路２１内に流入する空気流である。空気流Ａ１６は、第１の空気流通路２１に流入した空気流Ａ１５が一対の空気流通路形成板２２，２３の放熱面で放熱されて、第２の開口部２９から排出される空気流である。
【００３３】
上述したように、一対の空気流通路形成板２２，２３により形成された光ディスク２の回転面２ａと略平行な第１の空気流通路２１に光ディスクの回転により発生する空気流Ａ１１〜Ａ１６を流入する構成と、この一対の空気流通路形成板２２，２３が両面を放熱面とした放熱板である構成とから、放熱板の放熱面を有効に活用することができ、放熱効果を高めることができる。
【００３４】
すなわち、一対の空気流通路形成板２２，２３により構成される第１の空気流通路２１内に、通気口３ａを除いて密閉された筐体３内で回転された光ディスク２による空気流、すなわち、囲まれた領域内で回転された光ディスク２による空気流が流入することで、放熱効果を高めることができる。
【００３５】
また、光源２０は、一対の空気流通路形成板２２，２３の一端側で、且つ第１の空気流通路２１に流入される空気流Ａ１５の上流側に配置されていることから、主な発熱源である光源２０で発生する熱を放熱板である一対の空気流通路形成板２２，２３に伝達して、効果的に放熱することができ、放熱効果を高めることができる。
【００３６】
さらに、光ディスク２の回転により発生する空気流Ａ１３が集中する位置に光源２０が配置されている、すなわち、光ディスクの回転方向Ｒであって、接線方向の領域に光源２０が配置されていることから、この空気流と、この光源２０付近に集中する空気流Ａ１３の下流側の放熱板としての一対の空気流通路形成板２２，２３とにより光源２０で発生する熱を効果的に放熱することができる。
【００３７】
次に、ディスク回転駆動手段４により回転される光ディスク２の回転により発生する第２の空気流通路２５が形成された位置の断面での空気流について、図７（ａ）を用いて説明する。また、図７（ａ）に示す第２の空気流通路２５が形成された位置の断面での空気流と比較するために、第２の空気流通路を形成しない場合、すなわち、電子回路形成基板２４を設けない場合の空気流を図８（ａ）に示す。ここで、図７（ａ）は、電子回路形成基板２４を一方の空気流通路形成板２３から離間する所定間隔ｃを２ｍｍ程度とした場合の空気流である。さらに、図７（ａ）及び図８（ａ）の空気流の風速の分布について、それぞれ図７（ｂ）及び図８（ｂ）に示す。
【００３８】
電子回路基板２４を設けた場合は、図７（ａ）に示すように、光ディスク２の回転によりＡ２１〜Ａ２４の空気流が発生する。空気流Ａ２１は、光ディスク２の回転面２ａから光ディスク２の回転方向Ｒと同じ方向に発生する空気流である。また、空気流Ａ２２は、空気流Ａ２１がその遠心力により光ディスク２の半径方向外側に向かうことで発生する空気流である。また、空気流Ａ２３は、筐体３に囲まれている構成から筐体３側を回る空気流である。また、空気流Ａ２４は、第２の空気流通路２５に流入した空気流である。尚、この空気流Ａ２４は、後述する電子回路基板２４を設けない場合の空気流Ａ３４に比べて活発な流れであることを示す。
【００３９】
これに対し、電子回路基板２４を設けない場合は、図８（ａ）に示すように、光ディスク２の回転によりＡ３１〜Ａ３４の空気流が発生する。空気流Ａ３１は、光ディスク２の回転面から光ディスク２の回転方向と同じ方向に発生する空気流である。また、空気流Ａ３２は、空気流Ａ３１がその遠心力により光ディスク２の半径方向外側に向かうことで発生する空気流である。また、空気流Ａ３３は、筐体３に囲まれている構成から筐体３側を回る空気流である。また、空気流Ａ３４は、一方の空気流通路形成板２３の上面側を流れる空気流である。尚、この空気流Ａ３４は、電子回路基板２４を設けないことから筐体３の上面側に流れてしまい、上述した空気流Ａ２４に比べて、風量が少ない状態となってしまう。
【００４０】
また、図８（ｂ）に示すように、電子回路基板２４を設けない場合は、風速分布が高い領域ＦＨ３が空気流Ａ３１〜Ａ３４の上流側に偏ってしまうのに対し、図７（ｂ）に示すように、電子回路基板２４を設けて第２の空気流通路２５を形成した場合は、風速分布が高い領域ＦＨ２が電子回路基板２４全体にわたって、すなわち、光ピックアップ７を包囲して放熱板である一方の空気流通路形成板２３に多くの面積で接触させることができる。よって、放熱効果をさらに高めることが可能となる。尚、図７（ｂ）及び図８（ｂ）中において、ＦＨ２及びＦＨ３は、風速分布が高い領域を示し、ＦＬ２及びＦＬ３は、風速分布が低い領域を示し、ＦＭ２及びＦＭ３は、風速分布が中間の状態の領域を示すものである。
【００４１】
さらに、図７及び図８の状態をさらに詳細に示すために、図９に示す各測定点Ｂ１〜Ｂ６における、電子回路基板２４を設けた場合と設けない場合との風速及び熱伝達係数の変化をそれぞれ、図１０及び図１１に示す。
【００４２】
図１０中において、横軸は、各測定点を示すものであり、縦軸は、風速（ｍ／ｓ）を示すものであり、実線Ｌ２１は、電子回路基板２４を設けた場合の各測定点Ｂ１〜Ｂ６の風速の変化を示すものであり、破線Ｌ３１は、電子回路基板を設けない場合の各測定点Ｂ１〜Ｂ６の風速の変化を示すものである。
【００４３】
また、図１１中において、横軸は、各測定点を示すものであり、縦軸は、熱伝達係数（Ｗ／（ｍ２・Ｋ））を示すものであり、実線Ｌ２２は、電子回路基板２４を設けた場合の各測定点Ｂ１〜Ｂ６の熱伝達係数の変化を示すものであり、破線Ｌ３２は、電子回路基板を設けない場合の各測定点Ｂ１〜Ｂ６の熱伝達係数の変化を示すものである。
【００４４】
図１０及び図１１に示すように、風速及び熱伝達係数は、電子回路基板２４を設けた場合の方が、電子回路基板２４を設けない場合に比べて、全体的にバランスよく、均一な値となっており、放熱板としての空気流通路形成板２３からの放熱を効果的にすることで、放熱効果を高めることができる。
【００４５】
上述したように、一対の空気流通路形成板２２，２３のいずれか一方と、相対向して所定間隔離間して電子回路形成基板２４を設け、この電子回路形成基板２４と対向する一方の空気流通路形成板２３とにより、光ディスク２の回転による空気流Ａ２１〜Ａ２４が流入される第２の空気流通路２５を形成する構成により、放熱板である一方の空気流通路形成板２３の上面側に流れる空気流を大きくでき、発熱源から発生した熱をこの放熱板に伝達して放熱することで、放熱効果をさらに高めることができる。
【００４６】
以上のように、本発明を適用した光ディスク装置１及び光ピックアップ７は、一対の空気流通路形成板２２，２３により形成された光ディスク２の回転面と略平行な第１の空気流通路２１に空気流Ａ１１〜Ａ１６を流入する構成と、この一対の空気流通路形成板２２，２３が両面を放熱面とした放熱板である構成とから、放熱板の放熱面を有効に活用することができ、放熱効果を高めることができる。
【００４７】
尚、ここで、一対の空気流通路形成板２２，２３の一方を両面を放熱面とした放熱板とした場合にも、同様に、放熱板の放熱面を有効に活用することができ、放熱効果を高めることができる。
【００４８】
また、本発明を適用した光ディスク装置１及び光ピックアップ７は、一対の空気流通路形成板のいずれか一方と、相対向して所定間隔離間して配置される電子回路形成基板２４を設け、この電子回路基板２４が対向する一方の空気流通路形成板２２，２３とともに光ディスク２の回転により発生する空気流が流入される第２の空気流通路２５を形成することで、放熱板である一方の空気流通路形成板２３の上面側に流れる空気流を大きくでき、発熱源から発生した熱をこの放熱板に伝達して放熱することで、放熱効果をさらに高めることができる。
【００４９】
また、本発明を適用した光ディスク装置１及び光ピックアップ７は、光源２０を一対の空気流通路形成板２２，２３の一端側で且つこの一対の空気流通路形成板２２，２３により形成される第１の空気流通路２１に流入される空気流の上流側に配置される構成から、光源２０で発生する熱を放熱板に伝達して、効果的に放熱することができ、放熱効果を高めることができる。
【００５０】
また、光ディスク装置１及び光ピックアップ７は、回転される光ディスク２の回転により発生する空気流を取り込むための導風路として第１の開口部２８を設けるように構成したことから、流入する空気流を一層増加させることができ、放熱効果を高めることができる。
【００５１】
また、本発明を適用した光ディスク装置１及び光ピックアップ７は、効果的な放熱を可能とし、放熱効果を高めることができることから、従来の放熱板に比較して、小さい面積で十分な放熱を行うことができ、すなわち、放熱板の面積を小さくできることから、結果として装置全体の小型化を実現できる。
【００５２】
尚、上述した光ディスク装置１において、一対の空気流通路形成板２２，２３に、さらにヒートシンクを設けるように構成してもよい。
【００５３】
ここで、さらにヒートシンクを設けるように構成した光ディスク装置を構成する光ピックアップ５０について説明する。尚、光ピックアップ５０は、上述した光ピックアップ７の構成と、ヒートシンクを加えた構成以外は同じ構成であり、以下の説明において、上述した光ピックアップ７と共通する部分については、共通の符号を付して詳細な説明は省略する。
【００５４】
光ピックアップ５０は、図１２に示すように、光ディスク２の回転面２ａと略平行に相対向して所定間隔離間されて配置されることにより、光ディスク２の回転により発生する空気流が流入される第１の空気流通路２１を形成する一対の空気流通路形成板２２，２３と、この一対の空気流通路形成板２２，２３の一方の空気流通路形成板２３と、相対向して所定間隔ｃ離間して配置される電子回路形成基板２４とを備える。電子回路形成基板２４は、対向して配置された一方の空気流通路形成板２３とともに、光ディスク２の回転により発生する空気流が流入される第２の空気流通路２５を形成する。
【００５５】
光ピックアップ５０の一対の空気流通路形成板２２，２３には、さらに、光源２０の近傍に位置して、ヒートシンク５１が設けられている。
【００５６】
このヒートシンク５１は、発熱源である光源２０の近傍に配置されることから、さらに放熱効果を高めるとともに、一対の空気流通路形成板２２，２３により形成される第１の空気流通路２１に流入される空気流の上流側であって、空気流が集中する箇所に配置されていることから、放熱板である一対の空気流通路形成板２２，２３と共に、さらに効果的に放熱することができ、放熱効果を高めることができる。
【００５７】
以上のように、さらにヒートシンク５１を有する光ディスク装置及び光ピックアップ５０は、上述の効果に加え、ヒートシンク５１の放熱効果により、全体の放熱効果をさらに高めることができる。
【００５８】
尚、ここでは、ヒートシンク５１を光源２０の近傍に配置するように構成したが、これに限られるものではなく、空気流の上流側から下流側のいずれかの位置に配置すれば、全体の放熱効果を高めることができる。
【００５９】
尚、ここでは、一対の空気流通路形成板の両方を、放熱板により構成するとともに、さらに、一対の空気流通路形成板のいずれか一方と離間して第２の空気流通路を形成する基板を設けるように構成したが、これに限られるものではなく、少なくともいずれか一方を両面を放熱面とした放熱板により構成すればよい。この場合、例えば、一対の空気流通路形成板の他方を電子回路形成基板として、この放熱板と電子回路形成基板とにより第１の空気流通路を形成するように構成すればよい。
【図面の簡単な説明】
【００６０】
【図１】本発明を適用した光ディスク装置を示す斜視図である。
【図２】本発明を適用した光ディスク装置の光ピックアップを示す斜視図である。
【図３】本発明を適用した光ディスク装置の光ピックアップを示す平面図である。
【図４】本発明を適用した光ディスク装置の光ピックアップを示す底面図である。
【図５】本発明を適用した光ディスク装置の第１の空気流通路が形成された位置の、光ディスクの回転により発生する空気流を示す平断面図。
【図６】本発明を適用した光ディスク装置の第１の空気流通路が形成された位置の、光ディスクの回転により発生する光ピックアップ周辺の空気流を示す平断面図。
【図７】本発明を適用した光ディスク装置の第２の空気流通路が形成された位置の断面での空気流を示す図であり、（ａ）は、光ディスクの回転により発生する空気流を示す平断面図であり、（ｂ）は、この空気流の風速の分布を示す図である。
【図８】図７と比較するための電子回路形成基板を設けない場合の図７と同じ断面での空気流を示す図であり、（ａ）は、光ディスクの回転により発生する空気流を示す平断面図であり、（ｂ）は、この空気流の風速の分布を示す図である。
【図９】電子回路基板を設けた場合と、設けない場合とを比較するために、風速及び熱伝達係数を測定するための測定点を示す平断面図である。
【図１０】図９に示す各測定点での、風速の変化を示す図である。
【図１１】図９に示す各測定点での、熱伝達係数の変化を示す図である。
【図１２】本発明を適用した光ディスク装置の光ピックアップの他の例を示す斜視図である。
【符号の説明】
【００６１】
１  光ディスク装置、  ２  光ディスク、  ３  筐体、  ４  ディスク回転駆動手段、  ５  ガイド軸、  ７  光ピックアップ、  ８  移動ベース、  ９  対物レンズ駆動装置、  １４  対物レンズ、  １６  弾性支持部材、  ２０  光源、  ２１  第１の空気流通路、  ２２，２３  一対の空気流通路形成板、  ２４  電子回路形成基板、  ２５  第２の空気流通路、  ２８  第１の開口部、  ２９  第２の開口部、  ５１  ヒートシンク
【図１】
0004544101.tif 000002
【図２】
0004544101.tif 000003
【図３】
0004544101.tif 000004
【図４】
0004544101.tif 000005
【図５】
0004544101.tif 000006
【図６】
0004544101.tif 000007
【図７】
0004544101.tif 000008
【図８】
0004544101.tif 000009
【図９】
0004544101.tif 000010
【図１０】
0004544101.tif 000011
【図１１】
0004544101.tif 000012
【図１２】
0004544101.tif 000013